(57)【要約】【課題】  デルタシグマ変調された１ビットデジタルオーディオ信号を伝送する際に、伝送路や、伝送路を駆動するデジタル回路で発生するノイズに含まれるアナログオーディオ成分が、音の品質を劣化させる要因となる。【解決手段】  デルタシグマ変調された１ビット信号と等しいデータレートの擬似ランダムノイズパターンを生成し、この生成された擬似ランダムノイズパターンを用いて、その１ビット信号を符号変調する。生成された擬似ランダムノイズパターンと上記符号変調により得られた符号変調信号は伝送路を介して伝送される。伝送された符号変調信号は、伝送された擬似ランダムノイズパターンを用いて復調される。【選択図】  図１
2010273307.tif 000002
【特許請求の範囲】
【請求項１】
デルタシグマ変調により得られた１ビット信号を伝送する信号伝送装置であって、
前記１ビット信号と等しいデータレートの擬似ランダムノイズパターンを生成する生成手段と、
前記生成手段により生成された前記擬似ランダムノイズパターンを用いて前記１ビット信号を符号変調する符号変調手段と、
前記生成手段により生成された前記擬似ランダムノイズパターン及び前記符号変調手段により得られた符号変調信号を伝送する伝送手段と、
前記伝送手段により伝送された前記符号変調信号を、前記伝送手段により伝送された前記擬似ランダムノイズパターンを用いて復調する符号復調手段と、
を有することを特徴とする信号伝送装置。
【請求項２】
前記符号変調手段は、前記生成手段により生成された前記擬似ランダムノイズパターンと前記１ビット信号との排他的論理和を符号変調信号として出力する第１の論理演算手段を有し、
前記符号復調手段は、前記伝送手段により伝送された前記符号変調信号と前記伝送手段により伝送された前記擬似ランダムノイズパターンとの排他的論理和を出力する第２の論理演算手段を有する
ことを特徴とする請求項１に記載の信号伝送装置。
【請求項３】
互いに並列に設けられた複数の前記符号変調手段と、
前記複数の符号変調手段と前記伝送手段との間に設けられ、前記複数の符号変調手段のそれぞれが出力する符号変調信号を多重化して前記伝送手段に出力する多重化手段を更に有することを特徴とする請求項１に記載の信号伝送装置。
【請求項４】
前記多重化手段は、前記符号変調手段のそれぞれが出力する符号変調信号と前記生成手段により生成された前記擬似ランダムノイズパターンとを多重化して前記伝送手段に出力することを特徴とする請求項１乃至３いずれか１項に記載の信号伝送装置。
【請求項５】
デルタシグマ変調により得られた１ビット信号を伝送する信号伝送装置であって、
入力した同期信号に基づいて、前記１ビット信号と等しいデータレートの擬似ランダムノイズパターンを生成する第１生成手段と、
前記第１生成手段により生成された前記擬似ランダムノイズパターンを用いて、デルタシグマ変調により得られた複数の１ビット信号を並列に符号変調する複数の符号変調手段と、
前記複数の符号変調手段のそれぞれが出力する符号変調信号と前記同期信号とを多重化して出力する多重化手段と、
前記多重化手段を介して出力された前記符号変調信号及び前記同期信号を伝送する伝送手段と、
前記伝送手段により伝送された前記符号変調信号及び前記同期信号を、個々の符号変調信号及び同期信号に分離する分離手段と、
前記分離手段により得られた前記同期信号に基づいて、前記１ビット信号と等しいデータレートの擬似ランダムノイズパターンを生成する第２生成手段と、
前記分離手段により得られた前記符号変調信号を、前記第２生成手段により生成された前記擬似ランダムノイズパターンを用いて復調する符号復調手段と、
を有することを特徴とする信号伝送装置。
【請求項６】
前記符号変調手段は、前記生成手段により生成された前記擬似ランダムノイズパターンと前記１ビット信号との排他的論理和を符号変調信号として出力する第１の論理演算手段を有し、
前記符号復調手段は、前記伝送手段により伝送された前記符号変調信号と前記伝送手段により伝送された前記擬似ランダムノイズパターンとの排他的論理和を出力する第２の論理演算手段を有する
ことを特徴とする請求項５に記載の信号伝送装置。
【請求項７】
デルタシグマ変調により得られた１ビット信号を伝送する信号伝送装置であって、
前記１ビット信号と等しいデータレートの擬似ランダムノイズパターンを生成する生成手段と、
デルタシグマ変調により得られた複数の１ビット信号を多重化して出力する多重化手段と、
前記生成手段により生成された前記擬似ランダムノイズパターンを用いて、前記多重化手段を介して出力された前記複数の１ビット信号を符号変調して符号変調信号を出力する符号変調手段と、
前記生成手段により生成された前記擬似ランダムノイズパターン及び前記符号変調手段により得られた符号変調信号を伝送する伝送手段と、
前記伝送手段により伝送された前記符号変調信号を、前記伝送手段により伝送された前記擬似ランダムノイズパターンを用いて復調する符号復調手段と、
前記符号復調手段により復調された多重化信号を個々の１ビット信号に分離する分離手段と、
を有することを特徴とする信号伝送装置。
【発明の詳細な説明】
【技術分野】
【０００１】
本発明は、信号伝送装置に関し、特に、デルタシグマ変調された１ビット信号の伝送に好適な信号伝送装置に関する。
【背景技術】
【０００２】
近年のＤＶＣ（ディジタル・ビデオ・カメラ）やＤＳＣ（デジタル・スチル・カメラ）等の携帯型電子機器には、動画や静止画の撮影、音声の録音の他に、撮影した画像や音声を再生、編集、データ転送するなどのさまざまな機能が装備されている。その一方で、高い携帯性を実現するために、電子機器内の非常に限られたスペースに多くの電子部品が配置される。そのため、必然的に多層配線基板や微細パターンを用いた高密度な実装形態となり、電子部品の間を結線する配線パターンは互いに近接に配置される。これらの近接した配線パターン間の結合によって混入するノイズ対策は、これらの携帯型電子機器を設計する上で、大きな課題の一つとなっている。
【０００３】
例えば、音声機能についてはデルタシグマ変調器から出力される１ビットデジタルオーディオ信号を伝送する伝送路や伝送路を駆動するデジタル回路が、アナログ信号やクロック信号に影響すると言う問題がある。デルタシグマ変調器は、音声信号帯域における高いダイナミックレンジ特性を持ち、デジタル出力が１ビットで伝送しやすいため、音声の信号処理などによく利用される。
【０００４】
一方で、デルタシグマ変調器から出力される１ビットデジタルオーディオ信号は、その低域成分がアナログオーディオ信号そのものである。そのため、伝送路や伝送路を駆動するデジタル回路で発生するノイズはアナログオーディオ信号と相関が高く、アナログ入力信号や、サンプリングクロック信号に混入すると音の品質を落とす要因となる。
【０００５】
この課題に対して、特許文献１では、１ビットデジタルオーディオ信号に対して、２倍のデータレートを用い、１ビットデジタルオーディオ信号の逆相信号を多重して伝送する。これにより、１ビットデジタルオーディオ信号中のアナログオーディオ信号成分をキャンセルする。
【０００６】
また、特許文献２では、１ビットデジタルオーディオ信号に対して、ＲＴＺ符号化を施し、さらに逆相信号を付加することにより、伝送路へ出力するデジタル状態の各々につき、論理１の数を等しくする。これによって電源に現れる過渡電流パターンを１ビットデジタルオーディオ信号に依らなくし、伝送路や、デジタル回路からのノイズ成分をキャンセルする。
【先行技術文献】
【特許文献】
【０００７】
【特許文献１】特開平９−１８６７２８号公報
【特許文献２】特開平６−０２１８２４号公報
【発明の概要】
【発明が解決しようとする課題】
【０００８】
しかしながら、特許文献１においては、サンプリングクロックの立上りエッジに同期した出力信号は、相変わらずアナログ信号と強い相関を持つ。そのため、クロックに同期したノイズがサンプリングクロック信号へ混入した場合に、音質が劣化する可能性がある。
【０００９】
また、特許文献２においては、正相信号の伝送路と逆相信号の伝送路といった個別の伝送路が設けられることから、近接した配線パターンへのクロストークは完全にはキャンセルされない。
【００１０】
さらに、特許文献１及び２においては、デジタル出力の遷移点がデルタシグマ変調器出力の２倍となる。したがって、伝送路を駆動するデジタル回路の消費電力が増大するという問題もある。
【００１１】
したがって、本発明は、より高品質なデジタル信号伝送を可能とする信号伝送装置を提供することを目的とする。また、本発明は、消費電力の増加を抑えつつ、より高品質なデジタル信号伝送を可能とする信号伝送装置を提供することを目的とする。
【課題を解決するための手段】
【００１２】
本発明の一側面によれば、デルタシグマ変調により得られた１ビット信号を伝送する信号伝送装置であって、前記１ビット信号と等しいデータレートの擬似ランダムノイズパターンを生成する生成手段と、前記生成手段により生成された前記擬似ランダムノイズパターンを用いて前記１ビット信号を符号変調する符号変調手段と、前記生成手段により生成された前記擬似ランダムノイズパターン及び前記符号変調手段により得られた符号変調信号を伝送する伝送手段と、前記伝送手段により伝送された前記符号変調信号を、前記伝送手段により伝送された前記擬似ランダムノイズパターンを用いて復調する符号復調手段とを有することを特徴とする信号伝送装置が提供される。
【発明の効果】
【００１３】
本発明によれば、伝送路や伝送路を駆動するデジタル回路で発生するノイズからアナログ信号成分が除去され、これにより高品質なデジタル信号伝送が可能になる。また、デジタル出力の遷移点を伝送するデータレートより高くする必要がないため、消費電力を抑制する効果もある。
【図面の簡単な説明】
【００１４】
【図１】第１の実施形態に係る信号伝送装置を含むオーディオ信号処理システムの概略構成図。
【図２】第１の実施形態に係る符号発生器の概略構成図。
【図３】第１の実施形態に係るオーディオ信号処理システムの動作を説明するタイミング図。
【図４】第１の実施形態に係るデルタシグマ変調出力のスペクトラム解析図。
【図５】第１の実施形態に係る符号変調信号のスペクトラム解析図。
【図６】第２の実施形態に係るオーディオ信号処理システムの概略構成図。
【図７】第２の実施形態に係るオーディオ信号処理システムの動作を説明するタイミング図。
【図８】第２の実施形態の変形例１に係るオーディオ信号処理システムの概略構成図。
【図９】第２の実施形態の変形例１に係るオーディオ信号処理システムの動作を説明するタイミング図。
【図１０】第２の実施形態の変形例２に係るオーディオ信号処理システムの概略構成図。
【図１１】第２の実施形態の変形例２に係るオーディオ信号処理システムの動作を説明するタイミング図。
【図１２】第３の実施形態に係るオーディオ信号処理システムの概略構成図。
【図１３】第３の実施形態に係るオーディオ信号処理システムの動作を説明するタイミング図。
【発明を実施するための形態】
【００１５】
以下、図面を参照して本発明の好適な実施形態について詳細に説明する。なお、本発明は以下の実施形態に限定されるものではなく、本発明の実施に有利な具体例を示すにすぎない。また、以下の実施形態の中で説明されている特徴の組み合わせの全てが本発明の課題解決手段として必須のものであるとは限らない。
【００１６】
(第１の実施形態）
図１は、本実施形態に係るオーディオ信号処理システムの概略構成図である。このオーディオ信号処理システムは、デルタシグマ変調器２と、１ビットデジタルオーディオ信号伝送装置１００と、デジタル・ローパスフィルタ（ＬＰＦ）８で構成される。デルタシグマ変調器２は、アナログオーディオ信号入力端子１より入力される信号をクロック入力端子１０から供給されるクロックＣＬＫの１周期ごとに１ビット信号である１ビットデジタルオーディオ信号Ｓ１に変調する。
【００１７】
また、１ビットデジタルオーディオ信号伝送装置１００は、符号変調部３と、伝送路５と、符号復調部６と、符号発生器７とで構成される。符号変調部３は例えば、１ビットデジタルオーディオ信号Ｓ１と擬似ランダムノイズ（ＰＲＮ）パターンＳ３との排他的論理和を演算する第１の論理演算手段としての排他的論理和ゲートで構成される。符号変調部３は、１ビットデジタルオーディオ信号Ｓ１と擬似ランダムノイズ（ＰＲＮ）パターンＳ３との排他的論理和を演算することにより符号変調信号Ｓ２を出力する。すなわち、１クロックごとに１ビットデジタルオーディオ信号Ｓ１と擬似ランダムノイズパターンＳ３とが同一であれば０を出力し、同一でなければ１を出力する。
【００１８】
符号発生器７は、１クロック周期で１ビットの０もしくは１の擬似ランダムノイズパターンを生成する。伝送手段としての伝送路５は、符号変調信号Ｓ２を伝送する伝送路５１と、符号発生器７より供給される擬似ランダムノイズパターンＳ３を伝送する伝送路５２とを持つ。符号復調部６は、Ｄ−ラッチ６１及び６４と第２の論理演算手段としての排他的論理和ゲート６５を有する。Ｄ−ラッチ６１は伝送路５１を介して入力される信号をクロックパルスの立上りエッジに同期してラッチして符号変調信号Ｓ２*を得る。また、伝送路５２を介して入力される信号をクロックパルスの立上りエッジに同期してラッチして擬似ランダムノイズパターンＳ３*を得る。さらに、符号変調信号Ｓ２*と擬似ランダムノイズパターンＳ３*の排他的論理和により、１ビットデジタルオーディオ信号Ｓ１*に復調する。１ビットデジタルオーディオ信号Ｓ１を正確に復調するには変調時の擬似ランダムノイズパターンを同位相で掛け合わせる必要があり、本実施形態ではＤ−ラッチ６１及び６４を用いて同期を取っている。
【００１９】
また、デジタルＬＰＦ８は、伝送された１ビットデジタルオーディオ信号をＣＤなどに記録されるオーディオフォーマットに従ったデジタルオーディオ信号に変換してデジタルオーディオ信号出力端子９より出力するデジタル信号処理部である。
【００２０】
符号発生器７の例を、図２を用いて説明する。符号発生器７は、７つのＤ−フリップフロップ１１１、１１２、１１３、１１４、１１５、１１６、１１７の入力と出力を順次接続して直列に配置した７ビットシフトレジスタを備える。符号発生器７は更に、シフトレジスタの６ビット目のＤ−フリップフロップ１１６の出力Ｑと７ビット目のＤ−フリップフロップ１１７の出力Ｑを２つの入力とする排他的論理和ゲート１１８を備える。この排他的論理和ゲート１１８の出力は１段目のＤ−フリップフロップ１１１の入力Ｄに接続される。各Ｄ−フリップフロップ１１１、１１２、１１３、１１４、１１５、１１６、１１７の初期値として（０、０、０、０、０、０、１）を与え、シフトレジスタへ供給される１クロックごとに７段目のＤ−フリップフロップ１１７から得られる出力を取り出す。このようにして得られた出力パターンが擬似ランダムノイズパターンＳ３となる。
【００２１】
図１に示した構成の１ビットデジタルオーディオ信号伝送装置１００の動作を図３のタイミングチャートを参照して説明する。デルタシグマ変調器２からの１ビットデジタルオーディオ信号Ｓ１は、クロック入力端子１０から供給されるクロックＣＬＫに同期して出力される。また、符号発生器７からの擬似ランダムノイズパターンＳ３も同様に、クロック入力端子１０から供給されるクロックＣＬＫに同期して出力される。１ビットデジタルオーディオ信号Ｓ１と擬似ランダムノイズパターンＳ３の排他的論理和をとり、符号変調信号Ｓ２を得る。そして、符号変調信号Ｓ２が伝送路５１を介して伝送される。この符号変調信号Ｓ２は、１ビットデジタルオーディオ信号Ｓ１の低域成分が擬似ランダムノイズパターンＳ３に対応して広い周波数帯域へ拡散し、そのスペクトルのパワーレベルは抑制される。そのため、従来１ビットデジタルオーディオ信号Ｓ１の低域成分がアナログオーディオ信号成分であることにより生じていた伝送系ノイズによる信号品質の劣化を防ぐことができる。
【００２２】
次に、図４及び図５を用いてこの１ビットデジタルオーディオ信号伝送装置１００の効果を説明する。この図４は10kHzのトーン信号を入力し、デルタシグマ変調により得られた１ビットデジタルオーディオ信号のスペクトラム解析図である。また、図５は図４で示した信号を図２で示した符号発生器７を用いて符号変調した符号変調信号のスペクトラム解析図である。図４と図５を比較すると、図４の10kHzで見られたピークが図５では抑制されている。これは１ビットデジタルオーディオ信号Ｓ１の低域成分が擬似ランダムノイズパターンＳ３に対応して広い周波数帯域へ拡散したことを意味する。つまり、符号変調された１ビットデジタルオーディオ信号の伝送においては、伝送路や、伝送路を駆動するデジタル回路に流れるアナログオーディオ信号成分を低く抑えられ、高品質なデジタル信号伝送が可能となる。また、伝送路を通る符号変調信号Ｓ２は、デルタシグマ変調の出力レートと同じになるため、伝送路を駆動するデジタル回路による消費電力の増大を抑制できる。
【００２３】
（第２の実施形態）
次に第２の実施形態のオーディオ信号処理システムについて、図６を参照しながら説明する。この第２の実施形態では、デルタシグマ変調器により得られた複数の１ビットデジタルオーディオ信号Ｓ１１、Ｓ１２、Ｓ１３を並列に符号化する手段を複数有する。そして、それぞれ符号化された信号を多重化し、伝送路５１を介して伝送する。なお、すでに説明している符号については説明を省略する。
【００２４】
複数の１ビットデジタルオーディオ信号Ｓ１１、Ｓ１２、Ｓ１３は、符号変調部３に備えられた排他的論理和ゲート３１、３２、３３により、符号変調信号Ｓ２１、Ｓ２２、Ｓ２３に変換される。そして、多重化手段としての並列−直列変換部４１でこの符号変調信号Ｓ２１、Ｓ２２、Ｓ２３を時分割多重方式によって１線にまとめ、多重化信号Ｓ４を出力する。伝送路５１は多重化信号Ｓ４を伝送する。直列−並列変換部４２は、多重化信号Ｓ４を複数の符号変調信号Ｓ２４、Ｓ２５、Ｓ２６に変換する。符号変調信号Ｓ２４は、Ｄ−ラッチ６１によって、クロックパルスの立上りエッジに同期してラッチされて、これにより符号変調信号Ｓ２１*が得られる。同様にして、符号変調信号Ｓ２５、Ｓ２６及び、擬似ランダムノイズパターンＳ３は、Ｄ−ラッチ６２，６３，６４によって、クロックパルスの立上りエッジに同期してラッチされる。結果として、クロックパルスに同期した符号変調信号Ｓ２１*、Ｓ２２*、Ｓ２３*及び、擬似ランダムノイズパターンＳ３*が得られる。そして、排他的論理和ゲート６５，６６，６７により、１ビットデジタルオーディオ信号Ｓ１１*、Ｓ１２*、Ｓ１３*に復調される。
【００２５】
次に図７のタイミングチャートを用いてさらに動作を説明する。クロックパルスの立上りエッジに同期した符号変調信号Ｓ２１、Ｓ２２、Ｓ２３を順に選択して、多重化信号Ｓ４を得る。多重化信号Ｓ４を伝送した後、今度は多重化信号Ｓ４に含まれるＳ２１の信号に同期してラッチし、符号変調信号Ｓ２４を得る。同様に、多重化信号Ｓ４に含まれるＳ２２及びＳ２３のそれぞれに同期してラッチし、符号変調信号Ｓ２５，Ｓ２６を得る。さらに、クロックパルスの立上りエッジに同期してＳ２４，Ｓ２５，Ｓ２６をラッチし直すことで、互いに位相が一致した符号変調信号Ｓ２１*、Ｓ２２*、Ｓ２３*を得る。また、擬似ランダムノイズパターンＳ３はＤ−ラッチ６４により、クロックパルスの立上りエッジに同期してラッチされ、Ｓ３*が得られる。この時、擬似ランダムノイズパターンＳ３*と符号変調信号Ｓ２１*、Ｓ２２*、Ｓ２３*は互いに同位相である。
【００２６】
この第２の実施形態では、伝送路５１を伝送する信号のデータレートが並列−直列変換部４１によって多重化される信号の並列数によって決定されるため、データレートの増大を最小限に抑制することができる。また、第２の実施形態の変形例１として、多重化信号Ｓ４に擬似ランダムノイズパターンＳ３を多重化する形態がある。
【００２７】
この変形例１について、図８を参照しながら説明する。この変形例１は、並列−直列変換部４１で複数の符号変調信号Ｓ２１、Ｓ２２及び、擬似ランダムノイズパターンＳ３を１線にまとめ、多重化信号Ｓ４を出力とする。伝送路５１は、多重化信号Ｓ４を伝送する。直列−並列変換部４２は、多重化信号Ｓ４を、複数の符号変調信号Ｓ２４、Ｓ２５及び、擬似ランダムノイズパターンＳ３に変換する。符号変調信号Ｓ２４、Ｓ２５及び、擬似ランダムノイズパターンＳ３は、Ｄ−ラッチ６１，６２，６４によって、クロックパルスの立上りエッジに同期してラッチされる。その結果、クロックパルスに同期した符号変調信号Ｓ２１*、Ｓ２２*及び、擬似ランダムノイズパターンＳ３*が得られる。
なお、図８では、複数のΔΣ変調器からの信号が並列に入力される構成を例示したが、実施の形態はこれに限られない。具体的には、１のΔΣ変調器と１の排他的論理和ゲートとの組から出力される信号と、１の符号発生器から出力される信号とを多重化するような構成であってもよい。
【００２８】
次に図９のタイミングチャートを用いてさらに動作を説明する。クロックパルスの立上りエッジに同期して、符号変調信号Ｓ２１、Ｓ２２、及び擬似ランダムノイズパターンＳ３を順に選択し、多重化信号Ｓ４を得る。多重化信号Ｓ４を伝送した後、多重化信号Ｓ４に含まれるＳ２１の信号に同期してラッチし、符号変調信号Ｓ２４を得る。同様に、多重化信号Ｓ４に含まれるＳ２２及び擬似ランダノイズムパターンＳ２６のそれぞれに同期してラッチし、符号変調信号Ｓ２５，Ｓ２６を得る。さらに、クロックパルスの立上りエッジに同期してＳ２４，Ｓ２５，Ｓ２６をラッチし直すことで、互いに位相が一致した符号変調信号Ｓ２１*、Ｓ２２*、及び擬似ランダムノイズパターンＳ３*を得る。この変形例１では、擬似ランダムノイズパターンＳ３を伝送する伝送路５２が不必要になるため、より簡潔な伝送路を構成することが可能になる。
【００２９】
次に、図１０を用いて第２の実施形態の変形例２を説明する。変形例２では、多重化信号Ｓ２の伝送元及び伝送先にそれぞれ、第１生成手段としての第１符号発生器７１、第２生成手段としての第２符号発生器７２が設けられている。この場合、第１符号発生器７１と第２符号発生器７２との間で同期をとる必要がある。そこで、並列−直列変換部４１で、個々の符号変調信号Ｓ２１、Ｓ２２及び、同期信号Ｓ５を１線にまとめ、多重化信号Ｓ４を出力する。伝送路５１は、多重化信号Ｓ４を伝送する。直列−並列変換部４２は、多重化信号Ｓ４を、個々の符号変調信号Ｓ２４、Ｓ２５及び、同期信号Ｓ２７に分離する。符号変調信号Ｓ２４、Ｓ２５及び、同期信号Ｓ２７は、Ｄ−ラッチ６１，６２，６４によって、クロックパルスの立上りエッジに同期してラッチされて、クロックパルスに同期した符号変調信号Ｓ２１*、Ｓ２２*及び、同期信号Ｓ５*が得られる。同期信号Ｓ５*を用いて同期がとられた第２符号発生器７２の出力Ｓ３*と符号変調信号Ｓ２１*、Ｓ２２*は互いに同位相であり、排他的論理和ゲート６５，６６により１ビットデジタルオーディオ信号Ｓ１１*、Ｓ１２*に復調する。
【００３０】
次に図１１のタイミングチャートを用いてさらに動作を説明する。クロックパルスの立上りエッジに同期した符号変調信号Ｓ２１、Ｓ２２、及び同期信号Ｓ５を順に選択して、多重化信号Ｓ４を得る。多重化信号Ｓ４を伝送した後、多重化信号Ｓ４に含まれるＳ２１の信号に同期してラッチし、符号変調信号Ｓ２４を得る。同様に、多重化信号Ｓ４に含まれるＳ２２及び同期信号Ｓ５のそれぞれに同期してラッチし、符号変調信号Ｓ２５及び同期信号Ｓ２７を得る。さらに、クロックパルスの立上りエッジに同期してＳ２４，Ｓ２５，Ｓ２７をラッチし直すことで、互いに位相が一致した符号変調信号Ｓ２１*、Ｓ２２*、及び同期信号Ｓ５*を得る。さらに、同期信号Ｓ５*が入力された符号発生器７２より擬似ランダムノイズパターンＳ３*が出力される。この時、擬似ランダムノイズパターンＳ３*と符号変調信号Ｓ２１*、Ｓ２２*は互いに同位相である。この変形例２においても、擬似ランダムノイズパターンＳ３を伝送する伝送路５２が不必要になるため、より簡潔な伝送路を構成することが可能になる。
【００３１】
（第３の実施形態）
次に第３の実施形態に係るデジタルオーディオ信号処理システムについて、図１２を用いて説明する。この第３の実施形態は、複数の１ビットデジタルオーディオ信号Ｓ１１、Ｓ１２、Ｓ１３を多重化した上で符号変調し、伝送する点が、上述の第１、第２の実施形態と異なる。
【００３２】
クロック入力端子１２より供給されるクロックＣＬＫ２は符号変調信号Ｓ２のデータレートに等しいレートを持つクロックである。複数の１ビットデジタルオーディオ信号Ｓ１１、Ｓ１２、Ｓ１３は、時分割多重方式によって１線にまとめられ、多重化信号Ｓ１４を出力する。さらに、符号変調部３において多重化信号Ｓ１４と擬似ランダムノイズパターンＳ３とを排他的論理和ゲート３１により多重化符号変調信号Ｓ２に変換する。伝送路５１は、この多重化符号変調信号Ｓ２を伝送する。伝送路５２は、擬似ランダムノイズパターンＳ３を伝送する。符号復調部６は、クロックＣＬＫ２に同期してラッチした多重化符号変調信号Ｓ２*を多重化信号Ｓ１４*に復調する。また、直列−並列変換部４２は、多重化信号Ｓ１４*から複数の１ビットデジタルオーディオ信号Ｓ１１*、Ｓ１２*、Ｓ１３*に変換する。
【００３３】
次に、図１３のタイミングチャートを用いてさらに動作を説明する。クロック入力端子１０から供給されるクロックＣＬＫ１の立上りエッジに同期した１ビットデジタルオーディオ信号Ｓ１１、Ｓ１２、Ｓ１３を順に選択して、多重化信号Ｓ１４を得る。次に、多重化信号Ｓ１４と擬似ランダムノイズパターンＳ３の排他的論理和により多重化符号変調信号Ｓ２を得る。多重化符号変調信号Ｓ２と擬似ランダムノイズパターンＳ３を伝送した後、クロックＣＬＫ２の立上りエッジに同期してラッチし、同位相の多重化符号変調信号Ｓ２*と擬似ランダムノイズパターンＳ３*を得る。さらに排他的論理和により、多重化信号Ｓ１４*を得る。そして、多重化信号Ｓ１４*に含まれるＳ１１の信号に同期してラッチし、１ビットデジタルオーディオ信号Ｓ１１*を得る。同様に、多重化信号Ｓ１４*に含まれるＳ１２、Ｓ１３の信号に同期してラッチし、Ｓ１２*及びＳ１３*を得る。
【００３４】
この第３の実施形態は、複数の１ビットデジタルオーディオを予め多重化した後に符号変調処理を施しており、１つの符号変調回路のみで実現できるため、符号変調部、及び符号復調部をより簡便に構成することが可能となる。
【００３５】
なお、本発明は、上述の１ビットデジタルオーディオ信号伝送装置の実施形態に限定されるものではない。また、本発明は、１ビットデジタルオーディオを伝送し、アナログオーディオ信号に変換する際にも適用可能である。
【図１】
2010273307.tif 000003
【図２】
2010273307.tif 000004
【図３】
2010273307.tif 000005
【図４】
2010273307.tif 000006
【図５】
2010273307.tif 000007
【図６】
2010273307.tif 000008
【図７】
2010273307.tif 000009
【図８】
2010273307.tif 000010
【図９】
2010273307.tif 000011
【図１０】
2010273307.tif 000012
【図１１】
2010273307.tif 000013
【図１２】
2010273307.tif 000014
【図１３】
2010273307.tif 000015